(57)【要約】【課題】車両外部の送電装置から非接触で受電して蓄電装置を充電可能な車両及び電力伝送システムにおいて、タイマー充電を解除するための入力機器等に不具合が生じても、ユーザの希望に応じて送電装置による蓄電装置の充電を開始可能とする。【解決手段】車両ＥＣＵ５００は、非接触充電において、タイマー充電を実行可能に構成される。送電部７０に対する受電部１００の位置合わせが完了した状態において、タイマー充電が設定されており、かつ、タイマー充電の時刻スケジュールに従う充電開始時刻の到来前にスタートスイッチ５１０が所定の操作を受け付けた場合に、車両ＥＣＵ５００は、タイマー充電の設定に拘わらず非接触充電を開始する。【選択図】図３
2018137939.tif 000002
【特許請求の範囲】
【請求項１】
車両外部の送電装置から非接触で受電する受電装置を搭載した車両であって、
前記送電装置の送電部から非接触で受電するように構成された受電部と、
前記受電部によって受電される電力を蓄える蓄電装置と、
前記送電装置による前記蓄電装置の充電を時刻スケジュールに従って実施するタイマー充電を実行可能に構成された制御装置と、
ユーザによる車両システムの起動操作及び停止操作を受け付けるように構成された操作部とを備え、
前記送電部に対する前記受電部の位置合わせが完了した状態において、前記タイマー充電が設定されており、かつ、前記時刻スケジュールに従う充電開始時刻の到来前に前記操作部が所定の操作を受け付けた場合に、前記制御装置は、前記タイマー充電の設定に拘わらず、前記送電装置による前記蓄電装置の充電を実施するための処理を実行する、車両。
【請求項２】
前記位置合わせが完了し、かつ、前記車両を前記送電装置と対応付けるペアリング処理が完了した状態において、前記タイマー充電が設定されており、かつ、前記充電開始時刻の到来前に前記操作部が前記所定の操作を受け付けた場合に、前記制御装置は、前記タイマー充電の設定に拘わらず前記処理を実行する、請求項１に記載の車両。
【請求項３】
前記制御装置は、前記操作部が一定時間内に複数回操作された場合に、前記操作部が前記所定の操作を受け付けたものと判定する、請求項１又は請求項２に記載の車両。
【請求項４】
前記制御装置は、前記操作部が前記所定の操作を受け付けた後に所定の他の操作をさらに受け付けた場合に、前記処理の実行を中止して前記タイマー充電を実行する、請求項１から請求項３のいずれか１項に記載の車両。
【請求項５】
車両外部の電源に接続される充電ケーブルのコネクタを接続可能に構成されたインレットをさらに備え、
前記車両は、前記充電ケーブル及び前記インレットを通じて前記電源により前記蓄電装置をさらに充電可能に構成され、
前記タイマー充電は、前記インレットに前記コネクタが接続されている場合に、前記電源による前記蓄電装置の充電を時刻スケジュールに従って実施することを含み、
前記インレットに前記コネクタが接続された状態において、前記タイマー充電が設定されており、かつ、前記充電開始時刻の到来前に前記コネクタに対して予め定められた操作が実行されたときに、前記制御装置は、前記タイマー充電の設定に拘わらず、前記電源による前記蓄電装置の充電を実施するための処理を実行する、請求項１から請求項４のいずれか１項に記載の車両。
【請求項６】
車両外部の送電装置から車両に搭載された受電装置へ非接触で電力を伝送する電力伝送システムであって、
前記送電装置は、前記受電装置へ非接触で送電するように構成された送電部を備え、
前記車両は、
前記送電部から非接触で受電するように構成された受電部と、
前記受電部によって受電される電力を蓄える蓄電装置と、
前記送電装置による前記蓄電装置の充電を時刻スケジュールに従って実施するタイマー充電を実行可能に構成された制御装置と、
ユーザによる車両システムの起動操作及び停止操作を受け付けるように構成された操作部とを備え、
前記送電部に対する前記受電部の位置合わせが完了した状態において、前記タイマー充電が設定されており、かつ、前記時刻スケジュールに従う充電開始時刻の到来前に前記操作部が所定の操作を受け付けた場合に、前記制御装置は、前記タイマー充電の設定に拘わらず、前記送電装置による前記蓄電装置の充電を実施するための処理を実行する、電力伝送システム。
【発明の詳細な説明】
【技術分野】
【０００１】
本開示は、車両及び電力伝送システムに関し、特に、車両外部の送電装置から非接触で受電する受電装置を搭載した車両、及び送電装置から車両の受電装置へ非接触で電力を伝送する電力伝送システムに関する。
【背景技術】
【０００２】
車両外部の送電装置から車両に搭載された受電装置へ非接触で電力を伝送する電力伝送システムが知られている（たとえば特許文献１〜５参照）。たとえば、特開２０１３−１５４８１５号公報（特許文献１）には、車体底面に受電部が設けられ、地面に設置される送電部から受電部へ非接触で電力を伝送して車載バッテリを充電する非接触充電システムが開示されている（特許文献１参照）。
【０００３】
また、特開２０１６−５９２４８号公報（特許文献６）には、充電ケーブルのプラグを車両のインレットに接続して車両外部の電源により充電ケーブルを通じて蓄電装置を充電する接触充電システムにおいて、プラグをインレットに接続してから所定時間経過後に充電が開始される、所謂タイマー充電を実行可能であることが開示されている。
【０００４】
タイマー充電においては、タイマー充電の時刻スケジュールに従う充電開始時刻が到来するまでは、車両は充電待機状態となる。タイマー充電による充電待機中に、たとえばユーザがタイマー充電の設定・解除・変更等を行なうための入力機器に不具合が生じると、タイマー充電を解除できなくなり、ユーザが直ちに充電を開始することを希望しても、タイマー充電の時刻スケジュールに従う充電開始時刻が到来するまで充電を開始できないという事態が生じる。
【０００５】
そこで、特開２０１６−５９２４８号公報には、インレットにプラグが接続されている状態であって、かつ、タイマー充電が設定されている場合に、予め定められた期間内にプラグを抜差しする操作が予め定められた回数だけ繰り返されると、タイマー充電が解除されることが記載されている（特許文献６参照）。
【先行技術文献】
【特許文献】
【０００６】
【特許文献１】特開２０１３−１５４８１５号公報
【特許文献２】特開２０１３−１４６１５４号公報
【特許文献３】特開２０１３−１４６１４８号公報
【特許文献４】特開２０１３−１１０８２２号公報
【特許文献５】特開２０１３−１２６３２７号公報
【特許文献６】特開２０１６−５９２４８号公報
【発明の概要】
【発明が解決しようとする課題】
【０００７】
非接触充電システムにおいても、接触充電システムの場合と同様にタイマー充電を実行することが検討されている。しかしながら、非接触充電システムでは、充電ケーブルのプラグ（コネクタ）を車両のインレットに接続する必要がない。そのため、タイマー充電を入力機器から解除できないために充電開始時刻が到来するまで充電を開始できないという上述の事態に対して、非接触充電システムでは、所定期間内にプラグを抜差しすることでタイマー充電を解除する上記の技術を採用することはできない。
【０００８】
それゆえに、本開示の目的は、車両外部の送電装置から非接触で受電して蓄電装置を充電可能な車両及び電力伝送システムにおいて、タイマー充電を解除するための入力機器等に不具合が生じても、ユーザの希望に応じて送電装置による蓄電装置の充電を開始可能とすることである。
【課題を解決するための手段】
【０００９】
本開示の車両は、車両外部の送電装置から非接触で受電する受電装置を搭載した車両であって、受電部と、蓄電装置と、制御装置と、操作部とを備える。受電部は、送電装置の送電部から非接触で受電するように構成される。蓄電装置は、受電部によって受電される電力を蓄える。制御装置は、送電装置による蓄電装置の充電を時刻スケジュールに従って実施するタイマー充電を実行可能に構成される。操作部は、ユーザによる車両システムの起動操作及び停止操作を受け付けるように構成される。送電部に対する受電部の位置合わせが完了した状態において、タイマー充電が設定されており、かつ、時刻スケジュールに従う充電開始時刻の到来前に操作部が所定の操作を受け付けた場合に、制御装置は、タイマー充電の設定に拘わらず、送電装置による蓄電装置の充電を実施するための処理を実行する。
【００１０】
また、本開示の電力伝送システムは、車両外部の送電装置から車両に搭載された受電装置へ非接触で電力を伝送する電力伝送システムである。送電装置は、受電装置へ非接触で送電するように構成された送電部を備える。車両は、受電部と、蓄電装置と、制御装置と、操作部とを備える。受電部は、送電部から非接触で受電するように構成される。蓄電装置は、受電部によって受電される電力を蓄える。制御装置は、送電装置による蓄電装置の充電を時刻スケジュールに従って実施するタイマー充電を実行可能に構成される。操作部は、ユーザによる車両システムの起動操作及び停止操作を受け付けるように構成される。送電部に対する受電部の位置合わせが完了した状態において、タイマー充電が設定されており、かつ、時刻スケジュールに従う充電開始時刻の到来前に操作部が所定の操作を受け付けた場合に、制御装置は、タイマー充電の設定に拘わらず、送電装置による蓄電装置の充電を実施するための処理を実行する。
【００１１】
上記の車両及び電力伝送システムにおいては、タイマー充電による充電待機中にたとえばタイマー充電を解除するための入力機器に不具合が生じたとしても、送電部と受電部との位置合わせが完了した状態において、車両システムの起動操作及び停止操作を受け付ける操作部にてユーザが所定の操作を実行すれば、タイマー充電の設定に拘わらず（タイマー充電が設定されていても）、送電装置による蓄電装置の充電が実施される。したがって、この車両及び電力伝送システムによれば、タイマー充電を解除するための入力機器等に不具合が生じても、ユーザの希望に応じて送電装置による蓄電装置の充電を開始することができる。
【００１２】
さらに、この車両及び電力伝送システムにおいては、送電部と受電部との位置合わせが完了しておらず、送電装置による蓄電装置の充電を実施できない状況では（たとえば、送電装置のない駐車場に駐車される状況等）、ユーザが操作部にて所定の操作を実行しても、タイマー充電は解除されることなく維持される。したがって、この車両及び電力伝送システムによれば、送電装置による蓄電装置の充電を実施できないような状況において、タイマー充電が不必要に解除されるのを防ぐことができる。
【００１３】
なお、時刻スケジュールとは、充電開始時刻及び充電終了時刻の少なくとも一方を含む。充電終了時刻が設定される場合には、蓄電装置の充電に要する時間や、充電時の電気料金、満充電状態での出発までの待ち時間等を考慮して充電開始時刻が決定され、その充電開始時刻が到来すると、蓄電装置の充電が開始される。
【００１４】
また、送電部に対する受電部の位置合わせが完了した状態とは、たとえば、送電部に対する受電部の位置ずれ量が所定範囲内にある状態や、送電部と受電部との間の電力伝送効率が所定レベル以上となる状態等である。
【００１５】
送電部に対する受電部の位置合わせが完了し、かつ、車両を送電装置と対応付けるペアリング処理が完了した状態において、タイマー充電が設定されており、かつ、時刻スケジュールに従う充電開始時刻の到来前に操作部が所定の操作を受け付けた場合に、制御装置は、タイマー充電の設定に拘わらず上記の処理を実行するようにしてもよい。
【００１６】
これにより、タイマー充電の設定に拘わらず送電装置による蓄電装置の充電を実施するための所定の操作を受け付けるタイミングを、送電装置による蓄電装置の充電に先立って行なわれるペアリング処理の完了後に限定することができ、タイマー充電が不必要に解除されるのを防ぐことができる。
【００１７】
制御装置は、操作部が一定時間内に複数回操作された場合に、操作部が所定の操作を受け付けたものと判定するようにしてもよい。
【００１８】
このような構成によれば、操作部の誤操作によりタイマー充電が解除されるのを防ぐことができる。
【００１９】
制御装置は、操作部が所定の操作を受け付けた後に所定の他の操作をさらに受け付けた場合に、上記処理の実行を中止してタイマー充電を実行するようにしてもよい。
【００２０】
このような構成によれば、操作部の誤操作によりタイマー充電が解除されたとしても、タイマー充電を再度実行することができる。
【００２１】
車両は、車両外部の電源（外部電源）に接続される充電ケーブルのコネクタを接続可能に構成されたインレットをさらに備え、充電ケーブル及びインレットを通じて外部電源により蓄電装置をさらに充電可能に構成されてもよい。タイマー充電は、インレットにコネクタが接続されている場合に、電源による蓄電装置の充電を時刻スケジュールに従って実施することを含む。そして、インレットにコネクタが接続された状態において、タイマー充電が設定されており、かつ、時刻スケジュールに従う充電開始時刻の到来前にコネクタに対して予め定められた操作が実行されたときに、制御装置は、タイマー充電の設定に拘わらず、外部電源による蓄電装置の充電を実施するための処理を実行するようにしてもよい。
【００２２】
上記の構成とすることにより、充電ケーブル及びインレットを通じて外部電源により蓄電装置を充電する接触充電が行なわれる場合には、接触充電に適した上記手法（コネクタ操作）によってタイマー充電を解除することができる。
【発明の効果】
【００２３】
本開示によれば、車両外部の送電装置から非接触で受電して蓄電装置を充電可能な車両及び電力伝送システムにおいて、タイマー充電を解除するための入力機器等に不具合が生じても、ユーザの希望に応じて送電装置による蓄電装置の充電を開始することができる。
【図面の簡単な説明】
【００２４】
【図１】本開示の実施の形態１に従う電力伝送システムの全体図である。
【図２】受電装置に設けられるマークの一例を示した図である。
【図３】図１に示す電力伝送システムの構成図である。
【図４】ペアリング処理において各送電装置から出力される微弱電力の一例を示した図である。
【図５】図３に示す送電部及び受電部の回路構成の一例を示した図である。
【図６】ＭＩＤからタイマー充電を解除できない場合の解除操作に関する処理の手順を説明するフローチャートである。
【図７】ＭＩＤからタイマー充電の解除及び再設定をできない場合の解除操作及び再設定操作に関する処理の手順を説明するフローチャートである。
【図８】図７に示すステップＳ１５６において実行される処理の手順を説明するフローチャートである。
【発明を実施するための形態】
【００２５】
以下、本開示の実施の形態について、図面を参照しながら詳細に説明する。なお、図中同一又は相当部分には同一符号を付してその説明は繰り返さない。
【００２６】
［実施の形態１］
図１は、本開示の実施の形態１に従う電力伝送システムの全体図である。図１を参照して、電力伝送システムは、車両１と、送電装置１０とを備える。車両１は、受電装置２０を含む。受電装置２０は、車両１の底面（地面側）に設けられる。
【００２７】
送電装置１０は、交流電源１２（たとえば商用系統電源）から電力の供給を受ける。送電装置１０は、地面に設置され、車両１の受電装置２０が送電装置１０に対向するように車両１の位置合わせが行なわれた状態において、受電装置２０へ磁界を通じて非接触で送電するように構成される。
【００２８】
送電装置１０は、カメラ１４を含む。カメラ１４は、魚眼レンズを備えており、たとえば送電装置１０の上面の略中央部に設けられる。カメラ１４は、魚眼レンズを備えることにより、車両１が送電装置１０に向けて移動する際の受電装置２０を含む広い空間を撮影可能に構成されている。このカメラ１４の撮影画像を用いて、送電装置１０に対する受電装置２０の相対的な位置関係を検知し、送電装置１０に対する受電装置２０の位置合わせを行なうことができる。
【００２９】
具体的には、車両１が送電装置１０に向けて移動する際に、カメラ１４によってカメラ１４の周囲が撮像され、撮像データが車両１へ送信される。受電装置２０の下面（送電装置１０と対向する面）には、カメラ１４によって受電装置２０の位置を検知するためのマークが設けられている。
【００３０】
図２は、受電装置２０に設けられるマークの一例を示した図である。図２を参照して、受電装置２０は、樹脂ケース２１と、金属ケース２２と、保護部材２６，２７とを含む。樹脂ケース２１は、送電装置１０から非接触で受電するための受電コイル（図示せず）を収容する。金属ケース２２は、フィルタ回路や整流部等の電気機器（図示せず）を収容する。保護部材２６，２７は、樹脂ケース２１及び金属ケース２２の車両前後方向にそれぞれ配設され、受電装置２０を路面干渉から保護するためのものである。
【００３１】
この例では、樹脂ケース２１の四隅及び略中央部にそれぞれマーク２３，２４が設けられる。そして、送電装置１０に対する車両１（受電装置２０）の位置合わせが行なわれる際に、カメラ１４による撮像が行なわれるとともに撮像データから上記マークが検出され、検出されたマーク２３，２４の大きさ及び位置に基づいて、送電装置１０と受電装置２０との相対的な位置関係（水平方向及びギャップ）が算出される。
【００３２】
再び図１を参照して、車両１は、充電インレット３０をさらに備える。充電インレット３０は、車両外部の電源４６（交流電源１２であってもよい。）に接続される充電ケーブル４４のコネクタ４０を接続可能に構成される。すなわち、この車両１は、受電装置２０により送電装置１０から非接触で受電して車載の蓄電装置（図示せず）を充電可能であるとともに、充電ケーブル４４及び充電インレット３０を通じて車両外部の電源４６から受電して蓄電装置を充電することもできる。以下では、前者を「非接触充電」と称し、後者を「接触充電」と称する。また、非接触充電も接触充電も、車両外部の電源によって蓄電装置３００を充電するものであり、以下では、非接触充電と接触充電とを纏めて「外部充電」と称する場合がある。
【００３３】
なお、充電インレット３０及びコネクタ４０には、充電インレット３０とコネクタ４０との接続時にコネクタ４０が充電インレット３０から容易に抜けないように、機械的な係止機構が設けられている（図示せず）。そして、コネクタ４０には、充電インレット３０とコネクタ４０との機械的な係止状態を解除するためのスイッチ４２が設けられており、ユーザは、スイッチ４２を操作することによって、コネクタ４０を充電インレット３０から取り外すことができる。
【００３４】
図３は、図１に示した電力伝送システムの構成図である。図３を参照して、車両１は、受電部１００と、フィルタ回路１５０と、整流回路２００と、蓄電装置３００と、動力生成装置４００と、リレー２２０，３１０とを備える。また、車両１は、充電インレット３０と、充電器２５０と、リレー２３０とをさらに備える。さらに、車両１は、車両ＥＣＵ（Electronic  Control  Unit）５００と、スタートスイッチ５１０と、ＭＩＤ（Multi  Information  Display）５２０と、通信装置５３０とをさらに備える。
【００３５】
受電部１００は、送電装置１０の送電部７０（後述）から出力される電力（交流）を、接点を介さずに磁界を通じて非接触で受電するように構成される。たとえば、受電部１００は、送電部７０から非接触で受電するための共振回路を含む（図示せず）。共振回路は、コイルとキャパシタとによって構成され得るが、コイルのみで所望の共振状態が形成される場合には、キャパシタを設けなくてもよい。
【００３６】
フィルタ回路１５０は、受電部１００と整流回路２００との間に設けられ、受電部１００による受電時に発生する高調波ノイズを抑制する。フィルタ回路１５０は、たとえば、インダクタ及びキャパシタを含むＬＣ回路によって構成される。整流回路２００は、受電部１００によって受電された交流電力を整流して蓄電装置３００へ出力する。整流回路２００は、整流器とともに平滑用のキャパシタを含んで構成される。
【００３７】
蓄電装置３００は、再充電可能な直流電源であり、たとえばリチウムイオン電池やニッケル水素電池などの二次電池を含んで構成される。蓄電装置３００は、非接触充電の実行中に整流回路２００から出力される電力を蓄えるほか、接触充電の実行中に充電器２５０（後述）から出力される電力、及び走行中等に動力生成装置４００によって発電される電力も蓄えることができる。そして、蓄電装置３００は、その蓄えられた電力を動力生成装置４００へ供給する。なお、蓄電装置３００として電気二重層キャパシタ等も採用可能である。
【００３８】
動力生成装置４００は、蓄電装置３００に蓄えられる電力を用いて車両１の走行駆動力を発生する。特に図示しないが、動力生成装置４００は、たとえば、蓄電装置３００から電力を受けるインバータ、インバータによって駆動されるモータ、モータによって駆動される駆動輪等を含む。なお、動力生成装置４００は、蓄電装置３００を充電するための電力を発生する発電機と、その発電機を駆動可能なエンジンとを含んでもよい。
【００３９】
リレー２２０は、整流回路２００と蓄電装置３００との間に設けられる。リレー２２０は、非接触充電時にオン（導通状態）にされる。ＳＭＲ３１０は、蓄電装置３００と動力生成装置４００との間に設けられる。ＳＭＲ３１０は、動力生成装置４００の起動が要求されるとオンされる。
【００４０】
充電インレット３０は、充電ケーブル４４のコネクタ４０と接続可能に構成される。接触充電の実行時、充電インレット３０は、車両外部の電源４６から供給される電力をコネクタ４０から受け、その受けた電力を充電器２５０へ出力する。充電インレット３０は、コネクタ４０との接続状態を示すコネクタ接続信号ＰＩＳＷを車両ＥＣＵ５００へ出力する。コネクタ接続信号ＰＩＳＷは、たとえば充電インレット３０とコネクタ４０との接続状態に応じて電位が変化する信号であり、接続状態、非接続状態、及び、接続されているがコネクタ４０のスイッチ４２が操作されている状態に従って電位が変化する。
【００４１】
充電器２５０は、車両ＥＣＵ５００によって制御され、充電インレット３０により受電された電力を、蓄電装置３００の充電電圧を有する電力に変換して蓄電装置３００へ出力する。充電器２５０は、たとえば、コンバータ、インバータ、絶縁トランス、整流回路等を含んで構成される。リレー２３０は、充電器２５０と蓄電装置３００との間に設けられる。リレー２３０は、接触充電時にオン（導通状態）にされる。
【００４２】
スタートスイッチ５１０は、ユーザによる車両１のシステム起動操作及びシステム停止操作を受け付けるためのスイッチであり、たとえば、スタートスイッチ５１０をＯＮにすると、車両システムが起動され、スタートスイッチ５１０をＯＦＦにすると、車両システムが停止する。なお、スタートスイッチ５１０を押下する毎に、車両１の状態を、システム停止、アクセサリモード、システム起動、システム停止の順に順次切替えるようにしてもよい。なお、スタートスイッチ５１０に代えて、スタートスイッチ５１０と同様の機能を有するイグニッションスイッチやパワースイッチ等を採用してもよい。
【００４３】
ＭＩＤ５２０は、車両１における種々の情報を表示するとともにユーザが操作入力可能な表示装置であり、たとえば、タッチ入力可能な液晶ディスプレイや有機ＥＬ（Electro  Luminescence）ディスプレイ等を含んで構成される。この実施の形態１に従う車両１では、時刻スケジュールに従って外部充電（非接触充電又は外部充電）が実施されるタイマー充電を実行可能であり、ＭＩＤ５２０は、ユーザがタイマー充電を設定可能に構成される。具体的には、ＭＩＤ５２０は、ユーザが車両１の出発予定時刻を入力可能に構成され、入力された出発予定時刻に基づき算出される時刻スケジュールに従ってタイマー充電が実行される。また、ＭＩＤ５２０は、設定されたタイマー充電をユーザが解除可能に構成される。
【００４４】
通信装置５３０は、送電装置１０の通信装置９０と無線通信するように構成される。通信装置５３０は、送電部７０と受電部１００との位置合わせの実行時や非接触充電の実行時に、送電の開始／停止や車両１の受電状況（受電電圧等）等の情報を通信装置９０とやり取りする。
【００４５】
車両ＥＣＵ５００は、ＣＰＵ（Central  Processing  Unit）、メモリ（ＲＯＭ（Read  Only  Memory）及びＲＡＭ（Random  Access  Memory））、各種信号を入出力するための入出力ポート等を含み（いずれも図示せず）、メモリに記憶された情報や各種センサからの情報に基づいて所定の演算処理を実行する。そして、車両ＥＣＵ５００は、演算処理の結果に基づいて車両１における各機器を制御する。
【００４６】
たとえば、車両ＥＣＵ５００は、非接触充電が行なわれる場合に、非接触充電の実行に先立って、送電装置１０の送電部７０に対する受電部１００の位置合わせ処理を実行する。「位置合わせ」とは、送電部７０に対する受電部１００の車体水平方向の位置合わせである。たとえば、車両ＥＣＵ５００は、送電装置１０のカメラ１４によって撮影された画像を通信装置９０，５３０を通じて受信し、受電部１００が送電部７０に対向する位置で車両１が停車するように動力生成装置４００及び図示しないステアリングを制御する。
【００４７】
そして、車両ＥＣＵ５００は、位置合わせ処理の完了後、車両１を送電装置１０と対応付けるペアリング処理を実行する。「ペアリング」とは、車両１と送電装置１０との対応付けを行なうことである。送電装置を備える駐車スペースが複数隣接して配設されている場合に、ある駐車スペースに駐車される車両と、その駐車スペースの送電装置との紐付けを行なうために、ペアリング処理が実行される。位置合わせ処理及びペアリング処理が完了すると、車両１は、非接触充電を実行可能な状態となる。
【００４８】
ペアリング処理においては、たとえば、各送電装置固有の情報を含む微弱電力（車両１の蓄電装置３００を充電する際の送電電力よりも小さい電力）が各送電装置の送電部から出力され、車両１が受電した微弱電力に含まれる上記情報に基づいて、車両１において対応の送電装置が認識される。
【００４９】
図４は、ペアリング処理において各送電装置から出力される微弱電力の一例を示した図である。ここでは、隣接する２つの駐車スペースにそれぞれ送電装置１０Ａ，１０Ｂが設けられているものとする。
【００５０】
図４を参照して、時刻ｔ１においてペアリング処理が開始されると、送電装置１０Ａは、送電装置１０Ａに固有の時間ＴＡだけ微弱電力ＬＰを出力する。一方、送電装置１０Ｂは、送電装置１０Ｂに固有の時間ＴＢ（≠ＴＡ）だけ微弱電力ＬＰを出力する。車両１において、微弱電力ＬＰの受電時間が時間ＴＡの場合には、車両１は送電装置１０Ａと対応付けられ、微弱電力ＬＰの受電時間が時間ＴＢの場合には、車両１は送電装置１０Ｂと対応付けられる。
【００５１】
なお、微弱電力を用いた各送電装置固有の情報の伝達方法は、上記のような方法に限定されるものではなく、たとえば、各送電装置に固有のパルス幅或いは周期を有するパルス状の微弱電力を各送電装置から出力するようにしてもよい。
【００５２】
再び図３を参照して、位置合わせ処理及びペアリング処理が完了すると、車両ＥＣＵ５００は、リレー２２０をオンにし、通信装置５３０を通じて送電装置１０へ送電開始指令を送信する。
【００５３】
また、車両ＥＣＵ５００は、接触充電が行なわれる場合には、コネクタ接続信号ＰＩＳＷに基づいて充電ケーブル４４のコネクタ４０と充電インレット３０との接続が検知されると、リレー２３０をオンにし、充電器２５０を駆動する。
【００５４】
さらに、この実施の形態１に従う車両１では、車両ＥＣＵ５００により実行される主要な制御として、車両ＥＣＵ５００は、タイマー充電に関する制御、及びタイマー充電の解除操作に関する制御を実行する。これらの各制御については、後ほど詳しく説明する。
【００５５】
一方、送電装置１０は、電源部５０と、フィルタ回路６０と、送電部７０と、カメラ１４と、電源ＥＣＵ８０と、通信装置９０とを備える。電源部５０は、交流電源１２から電力を受け、所定の伝送周波数を有する交流電力を発生する。一例として、電源部５０は、力率改善（ＰＦＣ（Power  Factor  Correction））回路と、ＰＦＣ回路から受ける直流電力を、所定の伝送周波数（たとえば数十ｋＨｚ）を有する交流電力に変換するインバータとを含んで構成される。
【００５６】
送電部７０は、伝送周波数を有する交流電力を電源部５０から受け、送電部７０の周囲に生成される磁界を通じて、車両１の受電部１００へ非接触で送電する。送電部７０は、たとえば、受電部１００へ非接触で送電するための共振回路を含む。共振回路は、コイルとキャパシタとを含んで構成されるが、コイルのみで所望の共振状態が形成される場合には、キャパシタを設けなくてもよい。
【００５７】
フィルタ回路６０は、電源部５０と送電部７０との間に設けられ、電源部５０から発生する高調波ノイズを抑制する。フィルタ回路６０は、たとえば、インダクタ及びキャパシタを含むＬＣ回路によって構成される。
【００５８】
電源ＥＣＵ８０は、ＣＰＵ、メモリ（ＲＯＭ及びＲＡＭ）、各種信号を入出力するための入出力ポート等を含み（いずれも図示せず）、メモリに記憶された情報や各種センサからの情報に基づいて、所定の演算処理を実行する。そして、電源ＥＣＵ８０は、演算処理の結果に基づいて、送電装置１０における各機器を制御する。たとえば、電源ＥＣＵ８０は、所定の伝送周波数を有する交流電力を電源部５０が生成するように、電源部５０のスイッチング制御を行なう。
【００５９】
通信装置９０は、車両１の通信装置５３０と無線通信するように構成される。通信装置９０は、位置合わせの実行時や非接触充電の実行時に、送電の開始／停止や車両１の受電状況（受電電圧等）等の情報を通信装置５３０とやり取りする。
【００６０】
この電力伝送システムにおいては、送電装置１０において、電源部５０からフィルタ回路６０を通じて送電部７０へ、所定の伝送周波数を有する交流電力が供給される。送電部７０及び車両１の受電部１００の各々は、コイルとキャパシタとを含み、伝送周波数において共振するように設計されている。
【００６１】
電源部５０からフィルタ回路６０を通じて送電部７０へ交流電力が供給されると、送電部７０のコイルと受電部１００のコイルとの間に形成される磁界を通じて、送電部７０から受電部１００へエネルギー（電力）が移動する。そして、受電部１００へ移動したエネルギー（電力）は、フィルタ回路１５０及び整流回路２００を通じて蓄電装置３００へ供給される。
【００６２】
図５は、図３に示した送電部７０及び受電部１００の回路構成の一例を示した図である。図５を参照して、送電部７０は、コイル７２と、キャパシタ７４とを含む。キャパシタ７４は、コイル７２に直列に接続されてコイル７２と共振回路を形成する。キャパシタ７４は、送電部７０の共振周波数を調整するために設けられる。コイル７２及びキャパシタ７４によって構成される共振回路の共振強度を示すＱ値は、１００以上であることが好ましい。
【００６３】
受電部１００は、コイル１０２と、キャパシタ１０４とを含む。キャパシタ１０４は、コイル１０２に直列に接続されてコイル１０２と共振回路を形成する。キャパシタ１０４は、受電部１００の共振周波数を調整するために設けられる。コイル１０２及びキャパシタ１０４によって構成される共振回路のＱ値も、１００以上であることが好ましい。
【００６４】
なお、送電部７０及び受電部１００の各々において、キャパシタは、コイルに並列に接続されてもよい。また、キャパシタを備えることなく所望の共振周波数を達成できる場合には、キャパシタを備えない構成としてもよい。
【００６５】
なお、特に図示しないが、コイル７２，１０２の構造は特に限定されない。たとえば、送電部７０と受電部１００とが正対する場合に、送電部７０と受電部１００とが並ぶ方向に沿う軸に巻回される渦巻形状やらせん形状のコイルをコイル７２，１０２の各々に採用することができる。或いは、送電部７０と受電部１００とが正対する場合に、送電部７０と受電部１００とが並ぶ方向を法線方向とするフェライト板に電線を巻回して成るコイルをコイル７２，１０２の各々に採用してもよい。
【００６６】
再び図３を参照して、この実施の形態１に従う車両１では、上述のように、車両ＥＣＵ５００は、タイマー充電に関する制御、及びタイマー充電の解除操作に関する制御を実行する。以下、これらの各制御について説明する。
【００６７】
（タイマー充電に関する制御の説明）
この実施の形態１では、非接触充電が可能であり、非接触充電が行なわれる場合にタイマー充電が設定されているときは、送電部７０に対する受電部１００の位置合わせ処理、及び車両１を送電装置１０と対応付けるペアリング処理が完了した後、タイマー充電の時刻スケジュールに従う非接触充電が実行される。接触充電が行なわれる場合にタイマー充電が設定されているときは、充電ケーブル４４のコネクタ４０が充電インレット３０に接続された後、タイマー充電の時刻スケジュールに従う非接触充電が実行される。この実施の形態１では、車両ＥＣＵ５００は、ユーザによりＭＩＤ５２０において入力設定された出発予定時刻に基づいて、タイマー充電の時刻スケジュールを算出する。
【００６８】
一例として、車両ＥＣＵ５００は、車両１の出発予定時刻に基づいて、出発予定時刻に対して所定のマージン時間を有する充電終了時刻を決定する。次いで、車両ＥＣＵ５００は、外部充電に要する時間や、外部充電時の電気料金、満充電状態での出発までの待ち時間等を考慮して、外部充電の開始時刻を決定する。
【００６９】
なお、ＭＩＤ５２０において外部充電の終了時刻を直接設定可能とし、外部充電に要する時間等の上記諸条件を考慮して、外部充電の開始時刻を決定してもよい。或いは、ＭＩＤ５２０において外部充電の開始時刻を直接設定可能とし、その設定された充電開始時刻が到来すると、外部充電を開始するものとしてもよい。
【００７０】
車両ＥＣＵ５００は、タイマーを内蔵し、非接触充電が行なわれる場合に充電開始時刻が到来すると、リレー２２０（図１）をオン（リレー２３０，３１０はオフ）にするとともに、通信装置５３０を通じて送電装置１０へ送電の開始を指示する。蓄電装置３００の充電が完了すると、車両ＥＣＵ５００は、通信装置５３０を通じて送電装置１０へ送電の停止を指示するとともに、リレー２２０をオフにする。接触充電が行なわれる場合には、充電開始時刻が到来すると、車両ＥＣＵ５００は、リレー２３０（図１）をオン（リレー２２０，３１０はオフ）にするとともに、充電器２５０へ駆動信号を出力する。
【００７１】
（タイマー充電の解除操作に関する制御の説明）
タイマー充電においては、タイマー充電の時刻スケジュールに従う充電開始時刻が到来するまでは、車両１は充電待機状態となる。タイマー充電による充電待機中であっても、ユーザの翌日のスケジュール変更によりユーザが直ちに外部充電を開始することを希望する場合には、ＭＩＤ５２０からタイマー充電を解除することにより、充電待機状態を脱して外部充電を開始することが可能である。
【００７２】
タイマー充電による充電待機中に、ＭＩＤ５２０からの入力が不能になるような不具合が生じると、ＭＩＤ５２０からタイマー充電を解除できない事態が生じる。そうすると、ユーザが直ちに外部充電を開始することを希望しても、タイマー充電の時刻スケジュールに従う充電開始時刻が到来するまで外部充電を開始できないという事態が生じる。
【００７３】
接触充電が行なわれる場合には、上述の特許文献６に記載されているように、一定期間内に充電ケーブル４４のコネクタ４０を充電インレット３０から抜差しすることによって、タイマー充電を解除可能である。しかしながら、非接触充電が行なわれる場合には、コネクタ４０を充電インレット３０に接続する必要がない。そのため、ＭＩＤ５２０からタイマー充電を解除できない事態に対して、コネクタ４０を充電インレット３０から抜差しすることでタイマー充電を解除する上記手法を採用することができない。
【００７４】
そこで、この実施の形態１に従う車両１では、送電部７０に対する受電部１００の位置合わせが完了し、かつ、車両１を送電装置１０と対応付けるペアリング処理が完了した状態において、タイマー充電が設定されており、かつ、時刻スケジュールに従う非接触充電の開始時刻の到来前にスタートスイッチ５１０が所定の操作を受け付けると、車両ＥＣＵ５００は、タイマー充電の設定に拘わらず非接触充電を実施するための処理を実行する。
【００７５】
所定の操作とは、たとえば、一定時間内にスタートスイッチ５１０をＯＮ及びＯＦＦする操作である。なお、スタートスイッチ５１０の誤操作によりタイマー充電が解除されるのを防ぐために、スタートスイッチ５１０のＯＮ／ＯＦＦ操作が一定時間内に複数回実施された場合に、所定の操作が行なわれたものとするのが好ましい。
【００７６】
また、非接触充電を開始するための処理とは、車両ＥＣＵ５００が、リレー２２０（図１）をオン（リレー２３０，３１０はオフ）にするとともに、通信装置５３０を通じて送電装置１０へ外部充電の開始を指示することを含むものである。
【００７７】
上記により、この実施の形態１に従う車両１では、タイマー充電による充電待機中にＭＩＤ５２０からの入力が不能となる不具合が生じたとしても、位置合わせ処理及びペアリング処理が完了した状態において、スタートスイッチ５１０にてユーザが所定の操作を実施すれば、タイマー充電の設定に拘わらず（タイマー充電が設定されていても）非接触充電が実施される。したがって、この実施の形態１によれば、ＭＩＤ５２０からタイマー充電を解除できないような不具合が生じても、ユーザの希望に応じて非接触充電を開始することができる。
【００７８】
さらに、この実施の形態１に従う車両１においては、位置合わせ処理及びペアリング処理が完了しておらず、非接触充電を実施できない状況では（たとえば、送電装置１０のない駐車場に駐車される状況等）、スタートスイッチ５１０にてユーザが所定の操作を実行しても、タイマー充電は解除されることなく維持される。したがって、この実施の形態１によれば、非接触充電を実施できないような状況において、タイマー充電が不必要に解除されるのを防ぐことができる。
【００７９】
なお、上記では、タイマー充電が不必要に解除されるのを防ぐために、スタートスイッチ５１０による所定の解除操作を受け付ける期間を、位置合わせ処理及びペアリング処理が完了した状態としているが、ペアリング処理の完了は条件に含めずに、位置合わせが完了した状態であればスタートスイッチ５１０による所定の解除操作を受け付けるようにしてもよい。
【００８０】
図６は、ＭＩＤ５２０からタイマー充電を解除できない場合の解除操作に関する処理の手順を説明するフローチャートである。このフローチャートに示される一連の処理は、外部充電の開始トリガが生じたとき、すなわち、送電部７０に対する受電部１００の位置合わせが完了し、かつ、車両１を送電装置１０と対応付けるペアリング処理が完了したとき（非接触充電時）、又は充電ケーブル４４のコネクタ４０が充電インレット３０に接続されたとき（接触充電時）に開始される。
【００８１】
図６を参照して、外部充電の開始トリガが生じると（ステップＳ１０においてＹＥＳ）、車両ＥＣＵ５００は、タイマー充電が設定されているか否かを判定する（ステップＳ１５）。具体的には、ＭＩＤ５２０において翌日の出発予定時刻が入力されており、その出発予定時刻に基づいてタイマー充電の時刻スケジュールが設定されているか否かが判定される。
【００８２】
ステップＳ１５において、タイマー充電が設定されていると判定されると（ステップＳ１５においてＹＥＳ）、車両ＥＣＵ５００は、タイマー充電の時刻スケジュールに従う外部充電の開始時刻が到来したか否かを判定する（ステップＳ２０）。
【００８３】
ステップＳ２０において、時刻スケジュールに従う外部充電の開始時刻はまだ到来していないと判定されると（ステップＳ２０においてＮＯ）、車両ＥＣＵ５００は、外部充電が、受電装置２０により受電される電力を用いた非接触充電によるものか、それとも充電インレット３０から入力される電力を用いた接触充電によるものかを判定する（ステップＳ２５）。この判定は、たとえば、外部充電の開始トリガが、送電部７０に対する受電部１００の位置合わせが完了し、かつ、車両１を送電装置１０と対応付けるペアリング処理が完了したことによるものか（非接触充電）、それとも充電ケーブル４４のコネクタ４０が充電インレット３０に接続されたことによるものか（接触充電時）に基づいて実施され得る。
【００８４】
ステップＳ２５において外部充電が非接触充電であると判定されると（ステップＳ２５において「非接触」）、車両ＥＣＵ５００は、一定時間内にスタートスイッチ５１０のＯＮ／ＯＦＦ操作が有ったか否かを判定する（ステップＳ３０）。なお、誤操作防止のために、スタートスイッチ５１０のＯＮ／ＯＦＦ操作は複数回であることが好ましい。
【００８５】
一定時間内にスタートスイッチ５１０のＯＮ／ＯＦＦ操作が有ったものと判定されると（ステップＳ３０においてＹＥＳ）、車両ＥＣＵ５００は、タイマー充電を強制的に解除するとともに（ステップＳ４０）、タイマー充電が強制的に解除されたことを示すタイマー充電強制解除フラグをオンにする（ステップＳ４５）。
【００８６】
一方、ステップＳ２５において外部充電が接触充電であると判定されると（ステップＳ２５において「接触」）、車両ＥＣＵ５００は、一定時間内にコネクタ４０の抜差し操作が有ったか否かを判定する（ステップＳ３５）。なお、誤操作防止のために、コネクタ４０の抜差し操作は複数回であることが好ましい。また、コネクタ４０の抜差し操作に代えて、コネクタ４０に設けられるスイッチ４２のＯＮ／ＯＦＦ操作としてもよい。
【００８７】
そして、一定時間内にコネクタ４０の抜差し操作が有ったものと判定されると（ステップＳ３５においてＹＥＳ）、車両ＥＣＵ５００は、ステップＳ４０へ処理を移行し、タイマー充電が強制的に解除される。
【００８８】
ステップＳ３０において一定時間内にスタートスイッチ５１０のＯＮ／ＯＦＦ操作は無かったものと判定された場合（ステップＳ３０においてＮＯ）、又はステップＳ３５において一定時間内にコネクタ４０の抜差し操作は無かったものと判定された場合（ステップＳ３５においてＮＯ）、車両ＥＣＵ５００は、ステップＳ２０へ処理を戻す。
【００８９】
ステップＳ４５においてタイマー充電強制解除フラグがオンにされると、又は、ステップＳ１５においてタイマー充電は設定されていないと判定されたとき（ステップＳ１５においてＮＯ）、若しくはステップＳ２０においてタイマー充電の時刻スケジュールに従う充電開始時刻が到来したものと判定されたとき（ステップＳ２０においてＹＥＳ）、車両ＥＣＵ５００は、外部充電を開始するための処理を実行する（ステップＳ５０）。具体的には、非接触充電が実行される場合には、車両ＥＣＵ５００は、リレー２２０をオン（リレー２３０，３１０はオフ）にするとともに、通信装置５３０を通じて送電装置１０へ送電の開始を指示する。一方、接触充電が実行される場合には、車両ＥＣＵ５００は、リレー２３０をオン（リレー２２０，３１０はオフ）にするとともに、充電器２５０を駆動するための制御信号を充電器２５０へ出力する。
【００９０】
外部充電の実行中、車両ＥＣＵ５００は、蓄電装置３００の充電が完了したか否かを判定する（ステップＳ５５）。たとえば、蓄電装置３００が満充電状態に達したり、外部充電による充電電力量が設定可能である場合に所望の充電電力量に達したりすると、充電が完了したものと判定される。そして、ステップＳ５５において充電が完了したものと判定されると（ステップＳ５５においてＹＥＳ）、外部充電が停止され、タイマー充電強制解除フラグがオンしている場合には当該フラグがオフにされる（ステップＳ６０）。これにより、一連の処理が終了する。
【００９１】
以上のように、この実施の形態１においては、タイマー充電による充電待機中にＭＩＤ５２０からの入力が不能となる等の不具合が生じたとしても、位置合わせ処理及びペアリング処理が完了した状態において、スタートスイッチ５１０にてユーザが所定の操作を実施すれば、タイマー充電の設定に拘わらず（タイマー充電が設定されていても）非接触充電が実施される。したがって、この実施の形態１によれば、ＭＩＤ５２０からタイマー充電を解除できないような不具合が生じても、ユーザの希望に応じて非接触充電を開始することができる。
【００９２】
さらに、この実施の形態１においては、位置合わせ処理及びペアリング処理が完了しておらず、非接触充電を実施できない状況では（たとえば、送電装置１０のない駐車場に駐車される状況等）、スタートスイッチ５１０にてユーザが所定の操作を実行しても、タイマー充電は解除されることなく維持される。したがって、この実施の形態１によれば、非接触充電を実施できないような状況において、タイマー充電が不必要に解除されるのを防ぐことができる。
【００９３】
［実施の形態２］
この実施の形態２では、実施の形態１で説明したタイマー充電の強制解除（スタートスイッチ５１０の操作に基づく強制解除）の後にタイマー充電を再設定（再実行）可能な構成が示される。
【００９４】
この実施の形態２における電力伝送システムの全体構成は、図１，３に示した実施の形態１における電力伝送システムと同じである。
【００９５】
図７は、ＭＩＤ５２０からタイマー充電の解除及び再設定をできない場合の解除操作及び再設定操作に関する処理の手順を説明するフローチャートである。このフローチャートに示される一連の処理も、図６に示したフローチャートと同様に、外部充電の開始トリガが生じた場合に開始される。
【００９６】
ステップＳ１１０〜Ｓ１６０において実行される処理は、それぞれ図６に示したステップＳ１０〜Ｓ６０において実行される処理と同じである。
【００９７】
この実施の形態２では、ステップＳ１５５において、外部充電の実行中に蓄電装置３００の充電は完了していないと判定されると（ステップＳ１５５においてＮＯ）、車両ＥＣＵ５００は、タイマー充電を再実行するか否かを判定するための処理を実行する（ステップＳ１５６）。この処理については、後ほど詳しく説明する。
【００９８】
ステップＳ１５６の処理の実行後、車両ＥＣＵ５００は、タイマー充電強制解除フラグがオフしているか否かを判定する（ステップＳ１５７）。後述のように、ステップＳ１５６の処理においてタイマー充電を再実行するものと判定されると、ステップＳ１５６の処理においてタイマー充電強制解除フラグがオフされる。一方、ステップＳ１５６の処理においてタイマー充電を再実行しないと判定されると、タイマー充電強制解除フラグはオンに維持される。
【００９９】
そして、ステップＳ１５７においてタイマー充電強制解除フラグはオンであると判定されると（ステップＳ１５７においてＮＯ）、車両ＥＣＵ５００は、ステップＳ１５０へ処理を戻し、外部充電の実行が継続される。
【０１００】
一方、ステップＳ１５７においてタイマー充電強制解除フラグはオフであると判定されると（ステップＳ１５７においてＹＥＳ）、車両ＥＣＵ５００は、ステップＳ１２０へ処理を戻し、タイマー充電が強制解除される前に設定されていた時刻スケジュールに従うタイマー充電が再実行される。
【０１０１】
図８は、図７に示したステップＳ１５６において実行される処理の手順を説明するフローチャートである。図８を参照して、車両ＥＣＵ５００は、タイマー充電強制解除フラグがオンになってから所定時間が経過したか否かを判定する（ステップＳ２１０）。この所定時間は、タイマー充電が強制解除されてからタイマー充電の再設定を許容する期間を限定するためのものである。ステップＳ２１０においてフラグがオンになってから所定時間が経過したものと判定されると（ステップＳ２１０においてＹＥＳ）、以降の一連の処理は実行されることなくエンドへと処理が移行する。すなわち、この場合は、タイマー充電強制解除フラグがオンに維持されたまま、図７のステップＳ１５７へ処理が進む。
【０１０２】
ステップＳ２１０においてタイマー充電強制解除フラグがオンになってからまだ所定時間経過していないと判定されると（ステップＳ２１０においてＮＯ）、車両ＥＣＵ５００は、現在、非接触充電が実行されているか、それとも接触充電が実行されているかを判定する（ステップＳ２１５）。
【０１０３】
非接触充電が実行されている場合は（ステップＳ２１５において「非接触」）、車両ＥＣＵ５００は、スタートスイッチ５１０のＯＮ／ＯＦＦ操作が有ったか否かを判定する（ステップＳ２２０）。なお、ここでも、誤操作防止のために、スタートスイッチ５１０のＯＮ／ＯＦＦ操作は複数回であることが好ましい。
【０１０４】
スタートスイッチ５１０のＯＮ／ＯＦＦ操作が有ったものと判定されると（ステップＳ２２０においてＹＥＳ）、車両ＥＣＵ５００は、外部充電（この場合は非接触充電）を停止するとともに（ステップＳ２３０）、タイマー充電強制解除フラグをオフにする（ステップＳ２３５）。すなわち、この場合は、図７において、ステップＳ１５７にてフラグがオフであると判定されることにより、ステップＳ１２０へ処理が戻され、タイマー充電が再実行される。
【０１０５】
一方、接触充電が実行されている場合は（ステップＳ２１５において「接触」）、車両ＥＣＵ５００は、コネクタ４０の抜差し操作が有ったか否かを判定する（ステップＳ２２５）。なお、ここでも、誤操作防止のために、コネクタ４０の抜差し操作は複数回であることが好ましい。また、コネクタ４０の抜差し操作に代えて、コネクタ４０に設けられるスイッチ４２のＯＮ／ＯＦＦ操作としてもよい。
【０１０６】
そして、コネクタ４０の抜差し操作が有ったものと判定されると（ステップＳ２２５においてＹＥＳ）、車両ＥＣＵ５００は、ステップＳ２３０へ処理を移行し、外部充電（この場合は接触充電）が停止されるとともに、タイマー充電強制解除フラグがオフにされる。すなわち、この場合も、図７において、ステップＳ１５７にてフラグがオフであると判定されることにより、ステップＳ１２０へ処理が戻され、タイマー充電が再実行される。
【０１０７】
以上のように、この実施の形態２においては、タイマー充電が強制解除されてから所定時間が経過するまでにスタートスイッチ５１０のＯＮ／ＯＦＦ操作が再度行なわれると、タイマー充電の強制解除を中止してタイマー充電が再実行される。したがって、この実施の形態２によれば、スタートスイッチ５１０の誤操作によりタイマー充電が解除されたとしても、タイマー充電を再度実行することができる。
【０１０８】
なお、上記の実施の形態１，２においては、ユーザによりＭＩＤ５２０から入力される出発予定時刻等に基づいてタイマー充電が設定されるものとしたが（手動タイマー設定）、車両１の使用状況及び外部充電の実施状況等を学習し、その学習結果に基づいて、ユーザが時刻等を設定することなくタイマー充電が設定されるものであってもよい（自動タイマー充電）。すなわち、自動タイマー充電の時刻スケジュールに従う外部充電の開始時刻の到来前に、上述したような所定の操作を所定時間内に実行することによって、自動タイマー充電の設定に拘わらず外部充電を実行することができる。
【０１０９】
また、上記の実施の形態１，２においては、スタートスイッチ５１０（非接触充電時）又は充電ケーブル４４のコネクタ４０（接触充電時）において所定の操作を受け付けると、タイマー充電を解除して外部充電を実行するものとしたが、実施の形態１においては、タイマー充電の解除まではせずに、タイマー充電の設定を無視して外部充電を実行するようにしてもよい。
【０１１０】
なお、上記において、車両ＥＣＵ５００は、本開示における「制御装置」の一実施例に対応し、スタートスイッチ５１０は、本開示における「操作部」の一実施例に対応する。
【０１１１】
今回開示された実施の形態は、すべての点で例示であって制限的なものではないと考えられるべきである。本開示の範囲は、上記した実施の形態の説明ではなくて特許請求の範囲によって示され、特許請求の範囲と均等の意味及び範囲内でのすべての変更が含まれることが意図される。
【符号の説明】
【０１１２】
１  車両、１０  送電装置、１２  交流電源、１４  カメラ、２０  受電装置、２１  樹脂ケース、２２  金属ケース、２３，２４  マーク、２６，２７  保護部材、３０  充電インレット、４０  コネクタ、４２  スイッチ、４４  充電ケーブル、４６  電源、５０  電源部、６０，１５０  フィルタ回路、７０  送電部、７２，１０２  コイル、７４，１０４  キャパシタ、８０  電源ＥＣＵ、９０，５３０  通信装置、１００  受電部、２００  整流回路、２２０，２３０，３１０  リレー、２５０  充電器、３００  蓄電装置、４００  動力生成装置、５１０  スタートスイッチ、５２０  ＭＩＤ。
【図１】
2018137939.tif 000003
【図２】
2018137939.tif 000004
【図３】
2018137939.tif 000005
【図４】
2018137939.tif 000006
【図５】
2018137939.tif 000007
【図６】
2018137939.tif 000008
【図７】
2018137939.tif 000009
【図８】
2018137939.tif 000010